(57)【要約】【課題】端子の嵌入作業性の向上及び不良防止を図った弾性被覆部及び当該弾性被覆部を用いた接続装置を提供する。【解決手段】略Ｌ字パイプ状のゴムキャップ１２が被覆する接続部１１において、端子接続部１１ａにはプラグ端子Ｐが嵌入接続され、電線接続部１１ｂには、プラグ端子の嵌入方向Ｙ１と電線Ｌの軸方向Ｙ２とが略垂直になるように電線Ｌが接続保持される。また、ゴムキャップ１２には、プラグ端子Ｐの嵌入方向Ｙ１と対向する部分を外側に突起させた肉厚部１２ａを設ける。【選択図】図１
2006107939.tif 000002
【特許請求の範囲】
【請求項１】
端子を嵌入接続する端子接続部と、前記端子の嵌入方向と電線の軸方向とが略垂直になるように前記電線を接続保持する電線接続部とを有する接続部を被覆する、略Ｌ字パイプ状の弾性被覆部であって、
前記端子の嵌入方向と対向する部分を外側に突起させた肉厚部を備えたことを特徴とする弾性被覆部。
【請求項２】
請求項１記載の弾性被覆部であって、
前記肉厚部の外面には、前記端子接続部に嵌入接続された状態での前記端子の中心軸と対向する部分に、中心目印が形成されていることを特徴とする弾性被覆部。
【請求項３】
請求項１又は２記載の弾性被覆部であって、
前記肉厚部の外面には、前記端子接続部に嵌入接続された状態での前記端子の中心軸と対向する点を中心とした円形部分に、円形目印が形成されていることを特徴とする弾性被覆部。
【請求項４】
請求項１、２又は３記載の弾性被覆部であって、
前記端子接続部を被覆する部分の内周面は、円筒状に形成され、
前記端子接続部を被覆する部分の外周面は、前記接続端子の中心軸周り方向に互いに隣接した少なくとも２つの平面が形成されていることを特徴とする弾性被覆部。
【請求項５】
端子を嵌入接続する端子接続部と、前記端子の嵌入方向と電線の軸方向とが略垂直になるように前記電線を接続保持する電線接続部とを有する接続部と、該接続部を被覆する、略Ｌ字パイプ状の弾性被覆部とを備えた接続装置であって、
前記弾性被覆部は、前記端子の嵌入方向と対向する部分を外側に突起させた肉厚部を有することを特徴とする接続装置。
【発明の詳細な説明】
【技術分野】
【０００１】
本発明は、弾性被覆部及び当該弾性被覆部を用いた接続装置に関するものである。
【背景技術】
【０００２】
上述した従来の弾性被覆部を用いた接続装置として、図４に示されるものが提案されている（例えば、特許文献１）。同図に示すように、この接続装置１０は、プラグ端子Ｐ（＝端子）を嵌入接続する端子接続部１１ａが一端に形成され、絶縁被覆を剥離した電線Ｌ先端を圧着接続する電線接続部１１ｂが他端に形成された接続部１１と、この接続部１１を被覆する、略Ｌ字パイプ状のゴムキャップ１２（＝弾性被覆部）とから構成されている。上述した電線接続部１１ｂは、電線Ｌの軸方向Ｙ２と、プラグ端子Ｐの嵌入方向Ｙ１とが略垂直になるように接続保持する。
【特許文献１】特開平１０−１４４４４５号公報
【発明の開示】
【発明が解決しようとする課題】
【０００３】
従来の接続装置１０では、図４（ａ）に示すようにゴムキャップ１２の厚さはどこもほぼ均一であり、図４（ｂ）に示すように表面に凹凸のないフラットな状態である。このため、上述した接続装置１０のどの部分を押しながら、端子接続部１１ａにプラグ端子Ｐを嵌入するかは作業員によって異なっていた。つまり、作業員によっては、例えば、接続装置１０の軸方向Ｙ２と平行な部分１３を持って嵌入方向Ｙ１と反対方向に押しながらプラグ端子Ｐを嵌入したり、嵌入方向Ｙ１と平行な部分１４を持って嵌入方向Ｙ１と反対方向に押しながらプラグ端子Ｐを嵌入していた。
【０００４】
このため、プラグ端子Ｐの嵌入作業の低下を招いていた。また、接続装置において、プラグ端子Ｐの変形に対して弱い部分を押してしまうような部分を押しながら嵌入作業を行った場合、プラグ端子Ｐが変形し、部品交換が必要になってしまうという問題があった。さらに、プラグ端子Ｐを端子接続部１１ａ内に嵌入し易くするために、ゴムキャップ１２の厚みを薄くすると、嵌入作業の際にプラグ端子Ｐによってゴムキャップが突き破られるという問題も生じる。
【０００５】
そこで、本発明は、上記のような問題点に着目し、端子の嵌入作業性の向上及び不良防止を図った弾性被覆部及び当該弾性被覆部を用いた接続装置を提供することを課題とする。
【課題を解決するための手段】
【０００６】
上記課題を解決するためになされた請求項１記載の発明は、端子を嵌入接続する端子接続部と、前記端子の嵌入方向と電線の軸方向とが略垂直になるように前記電線を接続保持する電線接続部とを有する接続部を被覆する、略Ｌ字パイプ状の弾性被覆部であって、前記端子の嵌入方向と対向する部分を外側に突起させた肉厚部を備えたことを特徴とする弾性被覆部に存する。
【０００７】
請求項５記載の発明は、端子を嵌入接続する端子接続部と、前記端子の嵌入方向と電線の軸方向とが略垂直になるように前記電線を接続保持する電線接続部とを有する接続部と、該接続部を被覆する、略Ｌ字パイプ状の弾性被覆部とを備えた接続装置であって、前記弾性被覆部は、前記端子の嵌入方向と対向する部分を外側に突起させた肉厚部を有することを特徴とする接続装置に存する。
【０００８】
請求項１及び５記載の発明によれば、略Ｌ字パイプ状の弾性被覆部が被覆する接続部において、端子接続部には端子が嵌入接続され、電線接続部には、端子の嵌入方向と電線の軸方向とが略垂直になるように電線が接続保持される。また、弾性被覆部には、端子の嵌入方向と対向する部分を外側に突起させた肉厚部を設ける。従って、肉厚部を嵌入方向と反対方向に押圧しながら端子を嵌入すれば、端子に応力が集中して確実に端子接続部に端子を嵌入することができると共に、端子の変形に対して弱い部分を押すこともなくなる。また、嵌入方向と対向する部分のみが肉厚であり、他の部分は肉薄であるため、押圧時に端子によって弾性被覆部が突き破られることがなく、しかも、端子の端子接続部への嵌入作業を妨げることがない。さらに、外側に突起させて肉厚部を設けることにより、外側から見て肉厚部の場所がわかり作業者への目印となる。
【０００９】
請求項２記載の発明は、請求項１記載の弾性被覆部であって、前記肉厚部の外面には、前記端子接続部に嵌入接続された状態での前記端子の中心軸と対向する部分に、中心目印が形成されていることを特徴とする弾性被覆部に存する。
【００１０】
請求項２記載の発明によれば、肉厚部の外面において、端子接続部に嵌入接続された状態での端子の中心軸と対向する部分に、中心目印が形成されている。従って、肉厚部に中心目印を形成することにより、押圧すべき部分がよりはっきり分かる。
【００１１】
請求項３記載の発明は、請求項１又は２記載の弾性被覆部であって、前記肉厚部の外面には、前記端子接続部に嵌入接続された状態での前記端子の中心軸と対向する点を中心とした円形部分に、円形目印が形成されていることを特徴とする弾性被覆部に存する。
【００１２】
請求項３記載の発明によれば、肉厚部の外面において、端子接続部に嵌入接続された状態での端子の中心軸と対向する点を中心とした円形部分に、円形目印が形成されている。従って、肉厚部に円形目印を形成することにより、押圧すべき部分がよりはっきり分かる。
【００１３】
請求項４記載の発明は、請求項１、２又は３記載の弾性被覆部であって、前記端子接続部を被覆する部分の内周面は、円筒状に形成され、前記端子接続部を被覆する部分の外周面は、前記接続端子の中心軸周り方向に互いに隣接した少なくとも２つの平面が形成されていることを特徴とする弾性被覆部に存する。
【００１４】
請求項４記載の発明によれば、端子接続部を被覆する部分の内周面は、円筒状である。端子接続部を被覆する部分の外周面は、接続端子の中心軸周り方向に互いに隣接した少なくとも２つの平面を有する。従って、厚さが均一となる円筒状の外周面に比べて、２つの平面を外周面に形成することにより、一部肉厚となる部分が形成されるため、端子接続部を被覆する部分の強度を上げることができる。これにより、端子接続部を被覆する部分の外周面を握って端子の嵌入作業を行ったとき、握る力を入れすぎて端子接続部や端子が変形することを防止するできる。
【発明の効果】
【００１５】
以上説明したように請求項１及び５記載の発明によれば、肉厚部を嵌入方向と反対方向に押圧しながら端子を嵌入すれば、端子に応力が集中して確実に端子接続部に端子を嵌入することができると共に、端子の変形に対して弱い部分を押すこともなくなる。また、嵌入方向と対向する部分のみが肉厚であり、他の部分は肉薄であるため、押圧時に端子によって弾性被覆部が突き破られることがなく、しかも、端子の端子接続部への嵌入作業を妨げることがない。さらに、外側に突起させて肉厚部を設けることにより、外側から見て肉厚部の場所がわかり作業者への目印となるので、端子の嵌入作業性の向上及び不良防止を図った弾性被覆部及び当該弾性被覆部を用いた接続装置を得ることができる。
【００１６】
請求項２記載の発明によれば、肉厚部に中心目印を形成することにより、押圧すべき部分がよりはっきり分かるので、より一層、端子の嵌入作業性の向上及び不良防止を図った弾性被覆部を得ることができる。
【００１７】
請求項３記載の発明によれば、肉厚部に円形目印を形成することにより、押圧すべき部分がよりはっきり分かるので、より一層、端子の嵌入作業性の向上及び不良防止を図った弾性被覆部を得ることができる。
【００１８】
請求項４記載の発明によれば、厚さが均一となる円筒状の外周面に比べて、２つの平面を外周面に形成することにより、一部肉厚となる部分が形成されるため、端子接続部を被覆する部分の強度を上げることができる。これにより、端子接続部を被覆する部分の外周面を握って端子の嵌入作業を行ったとき、握る力を入れすぎて端子接続部や端子が変形することを防止するできるので、より一層不良防止を測った弾性被覆部を得ることができる。
【発明を実施するための最良の形態】
【００１９】
以下、本発明の弾性被覆部及び当該弾性被覆部を用いた接続装置について、図面を参照して説明する。図１（ａ）及び（ｂ）は各々、本発明の弾性被覆部（ゴムキャップ）を用いた接続部の一実施の形態を示す断面斜示図及び斜示図である。図２は、プラグ端子Ｐを端子接続部１１ａに嵌入した状態での断面図を示す。
【００２０】
同図に示すように、この接続装置１０は、プラグ端子Ｐ（＝端子）を嵌入接続する端子接続部１１ａが一端に形成され、絶縁被覆を剥離した電線Ｌを圧着接続する電線接続部１１ｂが他端に形成された接続部１１と、この接続部１１を被覆する、略Ｌ字パイプ状のゴムキャップ１２（＝弾性被覆部）とから構成されている。
【００２１】
端子接続部１１ａは、略円柱パイプ状に形成されており、その円柱内側にプラグ端子Ｐのくびれ部分ｋと係合して、嵌入されたプラグ端子Ｐの脱落を防ぐ係合爪１１ａ１が形成されている。電線接続部１１ｂは、電線Ｌの軸方向Ｙ２と、プラグ端子Ｐの嵌入方向Ｙ１とが略垂直になるように接続保持する。また、ゴムキャップ１２には、プラグ端子の嵌入方向Ｙ１と対向する部分を外側に突起させた肉厚部１２ａが形成されている。
【００２２】
また、肉厚部１２ａの外面には、図２に示すように、端子接続部１１ａに嵌入接続された状態のプラグ端子Ｐの中心軸ａpと対応する部分に、凸状の中心マーク１２ａ１（＝中心マーク）が形成されている。さらに、この中心マーク１２ａ１を中心とした凸状の円形マーク１２ａ２（＝円形目印）が形成されている。
【００２３】
また、ゴムキャップ１２において、端子接続部１１ａを被覆する部分の内周面は、略円柱パイプ状の端子接続部１１ａに会わせて円筒状になっている。これに対して、端子接続部１１ａを被覆する部分の外周面は、電線Ｌの軸方向と垂直な平面１２ｂと、この平面１２ｂとプラグ端子Ｐの中心軸ａp周り方向Ｙ３に隣接し、かつ、電線Ｌの軸方向と水平な平面１２ｃ、１２ｄとが形成されている。
【００２４】
上述した接続装置１０によれば、肉厚部１２ａを嵌入方向Ｙ１と反対方向に押圧しながらプラグ端子Ｐを嵌入すれば、プラグ端子Ｐに応力が集中して確実に端子接続部１１ａにプラグ端子Ｐを嵌入することができると共に、プラグ端子Ｐの変形に対して弱い部分を押すこともなくなる。また、嵌入方向Ｙ１と対向する部分のみが肉厚であり、他の部分は肉薄であるため、押圧時にプラグ端子Ｐによってゴムキャップ１２の肉厚部１２ａが突き破られることがなく、しかも、プラグ端子Ｐの端子接続部１１ａへの嵌入作業を妨げることがない。さらに、外側に突起させて肉厚部１２ａを設けることにより、外側から見て肉厚部１２ａの場所がわかり作業者への目印となる。以上のことから、プラグ端子Ｐの嵌入作業性の向上及び不良防止を図ることができる。
【００２５】
また、肉厚部１２ａに中心マーク１２ａ１及び円形マーク１２ａ２を形成することにより、押圧すべき部分がよりはっきり分かるので、より一層、端子の嵌入作業性の向上及び不良防止を図ることができる。
【００２６】
また、端子接続部１１ａを被覆する部分の外周面に平面１２ｂ〜１２ｄを形成することにより、図３に示すように、厚さが均一となる円筒状の外周面に比べて、一部肉厚となる部分Ａ１、Ａ２が形成される。このため、この肉厚となる部分Ａ１、Ａ２が補強リブとして働き、端子接続部１１ａを被覆する部分の強度が上がり、力を加えても変形しにくくなる。これにより、端子接続部１１ａを被覆する部分の外周面を例えば図１（ｂ）中の一点鎖線に沿って握ってプラグ端子Ｐの嵌入作業を行ったとき、握る力を入れすぎて端子接続部１１ａやプラグ端子Ｐが変形することを防止できる。
【００２７】
なお、上述した実施形態では、肉厚部１２ａを凸状にして中心マーク１２ａ１及び円形マーク１２ａ２を形成していた。しかしながら、例えば、印刷によって形成したりすることも考えられる。
【００２８】
また、上述した実施形態では、端子接続部１１ａを被覆する部分の外周面に互いに隣接する３つの平面１２ｂ〜１２ｄを設けていたが、平成する平面は２つ以上であればいくつでも良い。
【図面の簡単な説明】
【００２９】
【図１】（ａ）及び（ｂ）は各々、本発明の弾性被覆部（ゴムキャップ）を用いた接続部の一実施の形態を示す断面斜示図及び斜示図である。
【図２】プラグ端子Ｐを端子接続部１１ａに嵌入した状態での断面図である。
【図３】図１に示すゴムキャップのＩ−Ｉ線断面図である。
【図４】（ａ）及び（ｂ）は各々、従来の弾性被覆部を用いた接続装置の一例を示す断面斜示図及び斜示図である。
【符号の説明】
【００３０】
Ｌ        電線
Ｐ        プラグ端子（端子）
１１      接続部
１１ａ    端子接続部
１１ｂ    電線接続部
１２      ゴムキャップ（弾性被覆部）
１２ａ    肉厚部
１２ａ１  中心マーク（中心目印）
１２ａ２  円形マーク（円形目印）
【図１】
2006107939.tif 000003
【図２】
2006107939.tif 000004
【図３】
2006107939.tif 000005
【図４】
2006107939.tif 000006